(57)【要約】      （修正有）【課題】休憩をすべき旨の案内を適切なタイミングで実行することが可能な情報提供装置を提供する。【解決手段】端末装置１００は、出力部１１と、ＧＰＳ受信機１６と、制御部１７とを備える。制御部１７は、ＧＰＳ受信機１６から車両の現在位置に関する情報を取得する。制御部１７は、連続運転時間が休憩用閾値の標準時間である２時間を経過した場合に、運転者に対して休憩を促すための休憩情報を出力部１１に出力させる。そして、制御部１７は、車両と休憩施設との位置関係に基づいて、休憩用閾値を、標準時間の２時間から変化させる。【選択図】図２
2018059940.tif 000002
【特許請求の範囲】
【請求項１】
移動体の現在位置に関する情報を取得する取得部と、
前記移動体と休憩施設との位置関係、及び前記移動体の連続した運転時間に基づいて、運転者に対して休憩を促すための休憩情報を提供する提供部と、
を備えることを特徴とする情報提供装置。
【発明の詳細な説明】
【技術分野】
【０００１】
本発明は、休憩情報を提供する技術に関する。
【背景技術】
【０００２】
従来から、連続運転時間に応じて、休憩を促す音声案内を行う車載装置が存在する。例えば、特許文献１には、休憩すべき連続運転時間に達する所定時間前に、当該所定時間で走行可能な距離内に存在する休憩施設を検索し、運転者に対して提示する技術が開示されている。
【先行技術文献】
【特許文献】
【０００３】
【特許文献１】特開２０１３−１６０５６３号公報
【発明の概要】
【発明が解決しようとする課題】
【０００４】
特許文献１では、上述の所定時間の設定が難しいという問題がある。具体的には、上述の所定時間を短く設定した場合には、休憩施設を検索する範囲が小さくなり、適切な休憩施設が検索できない虞があり、上述の所定時間を長くした場合には、休憩すべき連続運転時間よりも大幅に前に休憩を促す音声案内を行うことになる。
【０００５】
本発明は、上記のような課題を解決するためになされたものであり、休憩をすべき旨の案内を適切なタイミングで実行することが可能な情報提供装置を提供することを主な目的とする。
【課題を解決するための手段】
【０００６】
請求項に記載の発明は、情報提供装置であって、移動体の現在位置に関する情報を取得する取得部と、前記移動体と休憩施設との位置関係、及び前記移動体の連続した運転時間に基づいて、運転者に対して休憩を促すための休憩情報を提供する提供部と、を備えることを特徴とする。
【図面の簡単な説明】
【０００７】
【図１】端末装置の正面図を示す。
【図２】端末装置の概略構成を示す。
【図３】休憩案内の制御方法を表すフローチャートの一例である。
【図４】案内画像表示処理を示すフローチャートの一例である。
【図５】直近ＳＡ／ＰＡの案内画像を表示する際のディスプレイの表示例を示す。
【図６】吹き出しが選択された場合のディスプレイの表示例を示す。
【図７】直近ＳＡ／ＰＡ及び準直近ＳＡ／ＰＡの案内画像を表示する際のディスプレイの第１表示例を示す。
【図８】直近ＳＡ／ＰＡ及び準直近ＳＡ／ＰＡの案内画像を表示する際のディスプレイの第２表示例を示す。
【図９】変形例に係るシステムの構成例を示す。
【図１０】サーバ装置の概略構成を示す。
【発明を実施するための形態】
【０００８】
本発明の好適な実施形態によれば、情報提供装置は、移動体の現在位置に関する情報を取得する取得部と、前記移動体の連続した運転時間が第１の時間を経過した場合に、運転者に対して休憩を促すための休憩情報を提供する提供部と、を備え、前記提供部は、前記移動体と休憩施設との位置関係に基づいて、前記休憩情報を提供する前記運転時間を、前記第１の時間から変化させる。
【０００９】
上記情報提供装置は、取得部と、提供部とを備える。取得部は、移動体の現在位置に関する情報を取得する。提供部は、移動体の連続した運転時間が第１の時間を経過した場合に、運転者に対して休憩を促すための休憩情報を提供する。「第１の時間」は、例えば、休憩が必要であると判断される連続運転時間の一般的な目安となる時間であり、例えば実験等に基づき設定される。そして、提供部は、移動体と休憩施設との位置関係に基づいて、休憩情報を提供する連続運転時間を、第１の時間から変化させる。このようにすることで、情報提供装置は、移動体と休憩施設との位置関係に基づいて、休憩情報を提供するタイミングを柔軟に変更し、運転者に休憩施設で好適に休憩させることができる。
【００１０】
上記情報提供装置の一態様では、前記提供部は、前記運転時間が前記第１の時間を経過する前に、前記移動体が前記休憩施設から所定の範囲内に進入したことを検出した場合、前記休憩情報を提供する前記運転時間を、前記第１の時間よりも短い第２の時間に設定する。ここで、「所定の範囲」は、例えば、休憩施設に所定時間内に立寄り可能な範囲を指す。このように、情報提供装置は、休憩情報を提供する時間を適宜短くすることで、休憩施設を通りすぎる前に好適に休憩情報を運転者に提供することができる。
【００１１】
上記情報提供装置の他の一態様では、前記提供部は、前記移動体が前記休憩施設から所定の範囲内に進入した場合に、直近にある前記休憩施設に関する案内画像を表示させる。ここで、「所定の範囲」は、例えば、移動体周辺の地図を表示する場合に、表示された地図内に休憩施設が存在するような範囲を指す。この態様により、情報提供装置は、直近にある休憩施設の存在をユーザに好適に認識させることができる。
【００１２】
上記情報提供装置の他の一態様では、前記提供部は、前記直近にある休憩施設に関する案内画像を表示させる場合、当該休憩施設から第３の時間以内に通過することが可能な先の休憩施設に関する案内画像をさらに表示させる。この態様により、情報提供装置は、直近の休憩施設の他にも立寄り可能な休憩施設があることを好適に運転者に認識させることができる。
【００１３】
上記情報提供装置の他の一態様では、前記提供部は、前記直近にある休憩施設よりも施設が充実している前記先の休憩施設が存在する場合に、当該先の休憩施設に関する案内画像を表示させる。この態様により、情報提供装置は、直近の休憩施設の先に施設が充実している休憩施設があることを好適に運転者に認識させることができる。
【００１４】
上記情報提供装置の他の一態様では、前記提供部は、直近にある休憩施設及び当該休憩施設の先にある休憩施設についての施設の充実度に関する比較結果に応じて、前記休憩情報の内容を変える。この態様により、情報提供装置は、各休憩施設での施設の充実度に応じて、運転者に案内する内容を好適に変更することができる。
【００１５】
上記情報提供装置の他の一態様では、前記提供部は、前記運転時間が前記第１の時間より長い第４の時間の経過以内に、前記移動体が前記休憩施設に通過することが可能であると予測される場合には、前記移動体が当該休憩施設から所定範囲内に進入した後に前記休憩情報を提供する。この態様により、情報提供装置は、休憩情報を提供する時間を柔軟に変更して休憩施設を運転者に好適に案内することができる。
【００１６】
本発明の他の実施形態によれば、情報提供装置が実行する制御方法であって、移動体の現在位置に関する情報を取得する取得工程と、前記移動体の連続した運転時間が第１の時間を経過した場合に、運転者に対して休憩を促すための休憩情報を提供する提供工程と、を備え、前記提供工程は、前記移動体と休憩施設との位置関係に基づいて、前記休憩情報を提供する前記運転時間を、前記第１の時間から変化させる。情報提供装置は、この制御方法を実行することで、移動体と休憩施設との位置関係に基づいて、休憩情報を提供するタイミングを柔軟に変更し、運転者に休憩施設で好適に休憩させることができる。
【００１７】
本発明のさらに別の実施形態によれば、コンピュータが実行するプログラムであって、移動体の現在位置に関する情報を取得する取得部と、前記移動体の連続した運転時間が第１の時間を経過した場合に、運転者に対して休憩を促すための休憩情報を提供する提供部として前記コンピュータを機能させ、前記提供部は、前記移動体と休憩施設との位置関係に基づいて、前記休憩情報を提供する前記運転時間を、前記第１の時間から変化させる。コンピュータは、このプログラムを実行することで、移動体と休憩施設との位置関係に基づいて、休憩情報を提供するタイミングを柔軟に変更し、運転者に休憩施設で好適に休憩させることができる。好適には、上記プログラムは、記憶媒体に記憶される。
【実施例】
【００１８】
以下、図面を参照して本発明の好適な実施例について説明する。
【００１９】
［全体構成］
図１は、本発明に係る情報提供装置が適用された端末装置１００の正面図を示す。端末装置１００は、利用者が持ち運び可能な携帯型端末であって、タッチパネル１２０が積層されたディスプレイ１１０を有する。端末装置１００は、歩行者や車両等を対象にして、指定された目的地への経路案内を行う。
【００２０】
図２は、端末装置１００の概略構成を示す。図２に示すように、端末装置１００は、出力部１１と、入力部１２と、記憶部１３と、通信部１４と、カメラ１５と、ＧＰＳ受信機１６と、制御部１７と、を備える。端末装置１００の各要素は、バス１０を介して相互に接続され、各要素間で必要な情報が伝送可能なように構成されている。
【００２１】
出力部１１は、ディスプレイ１１０や音声を出力するスピーカ１１１などを備え、制御部１７の制御に基づき、端末装置１００の利用者の操作に応答するための情報を出力する。入力部１２は、タッチパネル１２０を備え、端末装置１００に対して端末利用者が行う必要な命令や情報の入力、即ち操作を受け付けるインタフェースである。例えば、入力部１２は、目的地を指定する入力や、経路探索の条件を指定する入力などを受け付ける。なお、入力部１２は、タッチパネル１２０に加え、各種コマンドやデータを入力するための、キー、スイッチ、ボタン、音声入力装置等を有してもよい。
【００２２】
記憶部１３は、端末装置１００の動作を制御するためのプログラムを保存したり、端末装置１００の動作に必要な情報を保持したりする。例えば、記憶部１３は、地図データなどのナビゲーション処理に用いられる各種データを記憶する。地図データは、道路に相当するリンクと、道路の接続部分（交差点）に相当するノードとにより表された道路データや、サービスエリア及びパーキングエリア（これらを総称して「ＳＡ／ＰＡ」とも呼ぶ。）などの各施設に関する施設情報などを含む。また、記憶部１３は、高速道路の本線を示すリンクＩＤに、立ち寄り可能なＳＡ／ＰＡの情報を関連付けて記憶している。ＳＡ／ＰＡは、本発明における「休憩施設」の一例である。
【００２３】
通信部１４は、所定のプロトコルに従い、他の装置とデータの送受信を行う。カメラ１５は、制御部１７の制御に基づき撮影した画像を生成し、制御部１７に送信する。ＧＰＳ受信機１６は、複数のＧＰＳ衛星から、測位用データを含む下り回線データを搬送する電波を受信することで、端末装置１００の現在位置の情報を生成し、制御部１７に送信する。
【００２４】
制御部１７は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、端末装置１００内の各構成要素に対して種々の制御を行う。
【００２５】
例えば、制御部１７は、入力部１２により目的地を指定する入力を受け付け、指定された目的地までのルート（「案内ルート」とも呼ぶ。）を設定し、現在位置周辺の地図上に案内ルートを表示する。また、制御部１７は、高速道路の走行時に、ＳＡ／ＰＡ内の施設を案内する画像（「案内画像Ｉｍ」とも呼ぶ。）を表示させる。さらに、制御部１７は、車両Ｖｅの連続運転時間を計測し、連続運転時間に応じて運転者に休憩を促す音声案内を行う。
【００２６】
そして、制御部１７は、本発明における「取得部」、「提供部」、及びプログラムに基づき動作するコンピュータの一例である。また、制御部１７がスピーカ１１１に出力させる休憩を促す音声内容は、本発明における「休憩情報」の一例である。
【００２７】
［休憩案内の実行方法］
次に、制御部１７が実行する休憩案内の実行方法について説明する。概略的には、制御部１７は、現在位置とＳＡ／ＰＡとの位置関係に応じて、休憩案内を行う車両Ｖｅの連続運転時間（「休憩用閾値Ｔｔｈ」とも呼ぶ。）を柔軟に変更することで、ＳＡ／ＰＡでの休憩を好適に促進する。また、制御部１７は、立寄り可能なＳＡ／ＰＡが複数存在する場合に、施設の充実度に応じて休憩するのに好適なＳＡ／ＰＡ（「推奨ＳＡ／ＰＡ」とも呼ぶ。）を決定し、休憩案内の音声出力や案内画像Ｉｍの表示に反映させる。
【００２８】
（１）処理概要
図３は、制御部１７が実行する休憩案内の制御方法を表すフローチャートの一例である。図３のフローチャートでは、制御部１７は、休憩用閾値Ｔｔｈの標準時間を２時間とし、現在位置とＳＡ／ＰＡとの位置関係に応じて車両ＶｅがなるべくＳＡ／ＰＡで休憩できるように、休憩用閾値Ｔｔｈを１．５時間から２時間半の間に柔軟に変動させる。上述の２時間は、本発明における「第１の時間」の一例である。
【００２９】
まず、制御部１７は、車両Ｖｅが高速道路を走行中であるか否か判定する（ステップＳ１０１）。この場合、制御部１７は、ＧＰＳ受信機１６等により計測した現在位置と記憶部１３が記憶する道路データとに基づき、車両Ｖｅの走行中の道路（「走行道路」とも呼ぶ。）を認識し、走行道路が高速道路であるか否か判定する。そして、車両Ｖｅが高速道路を走行中の場合（ステップＳ１０１；Ｙｅｓ）、制御部１７は、ステップＳ１０２へ処理を進める。
【００３０】
一方、車両Ｖｅが高速道路を走行中でない場合（ステップＳ１０１；Ｎｏ）、制御部１７は、連続運転時間が休憩用閾値Ｔｔｈである２時間に達しているか否か判定する（ステップＳ１０３）。そして、連続運転時間が２時間に達している場合（ステップＳ１０３；Ｙｅｓ）、制御部１７は、２時間運転したことから安全運転のために近々休憩すべきである旨の休憩案内の音声出力を行う（ステップＳ１０９）。即ち、この場合、制御部１７は、運転者に休憩が必要であり、かつ、ＳＡ／ＰＡに立ち寄って休憩するのは困難であることから、ＳＡ／ＰＡを案内することなく休憩案内の音声出力を行う。一方、連続運転時間が２時間に達していない場合（ステップＳ１０３；Ｎｏ）、制御部１７は、まだ休憩案内を行う必要がないと判断し、ステップＳ１０１へ処理を戻す。
【００３１】
次に、ステップＳ１０２では、制御部１７は、走行道路から立ち寄り可能なＳＡ／ＰＡが存在するか否か判定する（ステップＳ１０２）。例えば、制御部１７は、地図データを参照し、走行道路である高速道路の本線のリンクＩＤと関連付けられているＳＡ／ＰＡが存在するか否か判定する。この場合、好適には、制御部１７は、現在位置から３０分以内に到着することが可能であると予測されるＳＡ／ＰＡに限り、走行道路から立ち寄り可能なＳＡ／ＰＡであると判定するとよい。
【００３２】
そして、制御部１７は、走行道路から立ち寄り可能なＳＡ／ＰＡが存在すると判断した場合（ステップＳ１０２；Ｙｅｓ）、連続運転時間が１．５時間経過しているか否か判定する（ステップＳ１０４）。そして、制御部１７は、連続運転時間が１．５時間経過している場合（ステップＳ１０４；Ｙｅｓ）、推奨ＳＡ／ＰＡを決定して案内画像Ｉｍの表示を行う案内画像表示処理を行う（ステップＳ１０６）。案内画像表示処理については、図４を参照して後述する。そして、制御部１７は、例えば、車両Ｖｅから直近にあるＳＡ／ＰＡ（「直近ＳＡ／ＰＡ」とも呼ぶ。）から所定距離以内に車両Ｖｅが近付いた場合に、直近ＳＡ／ＰＡ又は推奨ＳＡ／ＰＡで休憩すべき旨の音声出力を行う（ステップＳ１０９）。
【００３３】
このように、制御部１７は、連続運転時間が１．５時間経過し、かつ、立寄り可能なＳＡ／ＰＡが存在する場合には、休憩用閾値Ｔｔｈを２時間から最大３０分短縮して休憩案内を行う。これにより、制御部１７は、立寄り可能なＳＡ／ＰＡを通り過ぎた後に休憩案内を行うのを防ぎ、ＳＡ／ＰＡで好適に運転者に休憩させることができる。なお、２時間から短縮させた後の休憩用閾値Ｔｔｈは、本発明における「第２の時間」の一例である。
【００３４】
一方、制御部１７は、連続運転時間が１．５時間経過していない場合（ステップＳ１０４；Ｎｏ）、直近ＳＡ／ＰＡの案内画像Ｉｍを表示する（ステップＳ１０５）。なお、制御部１７は、この場合、表示した地図上に直近ＳＡ／ＰＡが存在する場合に限り、直近ＳＡ／ＰＡの案内画像Ｉｍを表示してもよい。そして、制御部１７は、ステップＳ１０９を実行することなく、ステップＳ１０１へ処理を戻す。即ち、この場合、制御部１７は、まだ休憩する必要性が低いと判断し、休憩すべき旨の音声案内を行わず、直近ＳＡ／ＰＡの存在のみを案内画像Ｉｍにより視認させる。
【００３５】
一方、ステップＳ１０２において、制御部１７は、走行道路から立ち寄り可能なＳＡ／ＰＡが存在しないと判断した場合（ステップＳ１０２；Ｎｏ）、連続運転時間が２時間に達しているか否か判定する（ステップＳ１０７）。そして、連続運転時間が２時間に達している場合（ステップＳ１０７；Ｙｅｓ）、制御部１７は、案内ルート上で３０分以内に到着可能なＳＡ／ＰＡが存在するか否か判定する（ステップＳ１０８）。上述の３０分は、例えば、運転疲労による集中力低下の観点から、休憩用閾値Ｔｔｈの標準時間である２時間を超過可能な許容時間の一例である。一方、制御部１７は、連続運転時間が２時間に達していない場合（ステップＳ１０７；Ｎｏ）、まだ休憩案内を行う必要はないと判断し、ステップＳ１０２へ処理を戻す。
【００３６】
そして、制御部１７は、３０分以内に到着可能なＳＡ／ＰＡが存在すると判断した場合（ステップＳ１０８；Ｙｅｓ）、再びステップＳ１０２に処理を戻す。即ち、この場合、制御部１７は、休憩用閾値Ｔｔｈの標準時間である２時間を許容範囲内で超過した場合であっても、次のＳＡ／ＰＡで休憩するのが適当であると判断し、休憩案内を現時点では行わない。その後、制御部１７は、ＳＡ／ＰＡから所定距離以内に近付いた場合に、当該ＳＡ／ＰＡを対象として、ステップＳ１０５又はＳ１０６で案内画像Ｉｍを表示し、かつ、ステップＳ１０９で休憩案内の音声出力を行う。このように、制御部１７は、休憩用閾値Ｔｔｈを柔軟に延長することで、ＳＡ／ＰＡに立寄ることが可能なタイミングで休憩案内の音声出力を好適に行うことができる。なお、この場合、延長された後の休憩用閾値Ｔｔｈは、本発明における「第４の時間」の一例である。
【００３７】
一方、制御部１７は、３０分以内に到着可能なＳＡ／ＰＡが存在しないと判断した場合（ステップＳ１０８；Ｎｏ）、連続運転時間が休憩用閾値Ｔｔｈである２時間に達したことから休憩が必要である旨の音声案内を出力する（ステップＳ１０９）。即ち、この場合、制御部１７は、休憩用閾値Ｔｔｈとして設定可能な上限値である２時間半を超えてもＳＡ／ＰＡを通過する予定がないと判断し、運転者に自主的な休憩を促す。
【００３８】
（２）案内画像表示処理
次に、図３のステップＳ１０６で実行する案内画像表示処理について説明する。図４は、案内画像表示処理を示すフローチャートの一例である。
【００３９】
まず、制御部１７は、直近ＳＡ／ＰＡの先にあるＳＡ／ＰＡ（「準直近ＳＡ／ＰＡ」とも呼ぶ。）を認識する（ステップＳ２００）。具体的には、この場合、制御部１７は、直近ＳＡ／ＰＡから所定時間以内で到着することが可能なＳＡ／ＰＡを認識する。上述の所定時間は、本発明における「第３の時間」の一例であり、例えば３０分に設定される。なお、好適には、制御部１７は、準直近ＳＡ／ＰＡを２つ以内になるように限定してもよい。
【００４０】
次に、制御部１７は、直近ＳＡ／ＰＡ及び準直近ＳＡ／ＰＡの各々の施設の充実度を算出する（ステップＳ２０１）。例えば、制御部１７は、地図データの施設情報を参照し、各ＳＡ／ＰＡに収容されている施設（店舗）の数をカウントし、カウントした施設数を当該ＳＡ／ＰＡの充実度として算出する。なお、制御部１７は、各ＳＡ／ＰＡに収容されている施設（店舗）のうち、休憩可能な施設（例えばレストラン、フードコード、喫茶店等）の数のみをカウントし、カウントした施設数を充実度として定めてもよい。
【００４１】
次に、制御部１７は、直近ＳＡ／ＰＡより充実度が高い準直近ＳＡ／ＰＡが存在するか否か判定する（ステップＳ２０２）。そして、直近ＳＡ／ＰＡより充実度が高い準直近ＳＡ／ＰＡが存在する場合（ステップＳ２０２；Ｙｅｓ）、制御部１７は、当該準直近ＳＡ／ＰＡを推奨ＳＡ／ＰＡとして認識し、直近ＳＡ／ＰＡと共に、これらの案内画像Ｉｍを表示する（ステップＳ２０３）。ここで、制御部１７は、直近ＳＡ／ＰＡよりも充実度が高い準直近ＳＡ／ＰＡが複数存在する場合、これらのうち最も充実度が高い準直近ＳＡ／ＰＡを推奨ＳＡ／ＰＡと定め、当該推奨ＳＡ／ＰＡ及び直近ＳＡ／ＰＡの案内画像Ｉｍを表示させてもよい。そして、制御部１７は、直近ＳＡ／ＰＡ又は推奨ＳＡ／ＰＡから所定距離以内に近付いた場合に、直近ＳＡ／ＰＡよりも準直近ＳＡ／ＰＡの方が充実している旨の音声案内を出力する（ステップＳ２０４）。その後、制御部１７は、図３のステップＳ１０９で、直近ＳＡ／ＰＡ又は準直近ＳＡ／ＰＡで休憩すべき旨の音声案内を行う。
【００４２】
このように、ステップＳ２０３及びステップＳ２０４では、制御部１７は、直近ＳＡ／ＰＡよりも施設が充実した準直近ＳＡ／ＰＡを、推奨ＳＡ／ＰＡとして積極的に運転者に案内する。これにより、制御部１７は、施設が充実しているＳＡ／ＰＡで運転者に好適に休憩させることができる。
【００４３】
一方、直近ＳＡ／ＰＡより充実度が高い準直近ＳＡ／ＰＡが存在しない場合（ステップＳ２０２；Ｎｏ）、制御部１７は、直近ＳＡ／ＰＡの案内画像Ｉｍを表示させる（ステップＳ２０５）。即ち、この場合、制御部１７は、直近ＳＡ／ＰＡの他に運転者に注目させるべきＳＡ／ＰＡは存在しないと判断し、直近ＳＡ／ＰＡの案内画像Ｉｍのみを表示させる。その後、制御部１７は、図３のステップＳ１０９では、直近ＳＡ／ＰＡに所定距離以内に近付いたときに、直近ＳＡ／ＰＡで休憩すべき旨の音声出力を行う。
【００４４】
（３）表示例
次に、案内画像Ｉｍの表示例について説明する。まず、直近ＳＡ／ＰＡの案内画像Ｉｍのみを表示する例について、図５及び図６を参照して説明する。
【００４５】
図５は、図３のステップＳ１０５又は図４のステップＳ２０５で直近ＳＡ／ＰＡの案内画像Ｉｍを表示する際のディスプレイ１１０の表示例を示す。図５の例では、現在位置マーク２１が示す車両は、地点２２Ａに存在するパーキングエリア「××ＰＡ」及び地点２２Ｂに存在するサービスエリア「○○ＳＡ」と接続する下り車線の道路２０上を走行しているものとする。
【００４６】
図５では、制御部１７は、現在位置の周辺地図上に、立ち寄り可能な直近ＳＡ／ＰＡであるパーキングエリア「××ＰＡ」の位置を指し示す吹き出し２３Ａを、案内画像Ｉｍとしてディスプレイ１１０上に表示させている。吹き出し２３Ａには、パーキングエリア「××ＰＡ」に収容された施設を表す施設アイコン２５Ａが並べて表示されている。このように、制御部１７は、休憩案内を行わない場合、又は、直近ＳＡ／ＰＡを推奨ＳＡ／ＰＡとして休憩案内する場合には、直近ＳＡ／ＰＡの位置及び収容施設を示す簡易的な表示である吹き出し２３Ａを、案内画像Ｉｍとして表示させる。
【００４７】
図６は、図５の例において、吹き出し２３Ａが選択された場合のディスプレイ１１０の表示例を示す。図６の表示例では、制御部１７は、吹き出し２３Ａが指等によりタッチされたことをタッチパネル１２０により検知し、パーキングエリア「××ＰＡ」の各施設の配置を施設マークと共に示した詳細表示ウィンドウ２９Ａをディスプレイ１１０の下部に表示している。このように、制御部１７は、運転者が吹き出し２３Ａを選択した場合、パーキングエリア「××ＰＡ」内の詳細な情報を、案内画像Ｉｍとして表示する。
【００４８】
なお、制御部１７は、ステップＳ２０５で推奨ＳＡ／ＰＡとして直近ＳＡ／ＰＡの案内画像Ｉｍを表示する場合、図５の吹き出し２３Ａに代えて、図６の詳細表示ウィンドウ２９Ａを直ちに表示させてもよい。これにより、制御部１７は、これから休憩のために立寄ることが予想される直近ＳＡ／ＰＡの詳細な情報を、好適に運転者に認識させることができる。
【００４９】
次に、準直近ＳＡ／ＰＡを推奨ＳＡ／ＰＡとした場合のステップＳ２０３でのディスプレイ１１０の表示例（第１表示例、第２表示例）について、図７及び図８を参照して説明する。
【００５０】
図７は、ステップＳ２０３で直近ＳＡ／ＰＡと共に準直近ＳＡ／ＰＡの案内画像Ｉｍを表示する際のディスプレイ１１０の第１表示例を示す。この場合、制御部１７は、直近のパーキングエリア「××ＰＡ」よりも、その先にあるサービスエリア「○○ＳＡ」の方が、収容する施設数が多く、施設の充実度が高いと判断し、サービスエリア「○○ＳＡ」を推奨ＳＡ／ＰＡとして認識する。そして、この場合、制御部１７は、サービスエリア「○○ＳＡ」の詳細情報を示す詳細表示ウィンドウ２９Ｂを表示すると共に、直近ＳＡ／ＰＡであるパーキングエリア「××ＰＡ」の詳細情報を示す詳細表示ウィンドウ２９Ａを地図上に表示する。
【００５１】
このように、図７に示す第１表示例では、制御部１７は、直近ＳＡ／ＰＡの詳細表示ウィンドウ２９Ａと共に、直近ＳＡ／ＰＡよりも施設が充実している準直近ＳＡ／ＰＡの詳細表示ウィンドウ２９Ｂを並べて表示させる。これにより、制御部１７は、直近ＳＡ／ＰＡと直近ＳＡ／ＰＡよりも施設が充実している準直近ＳＡ／ＰＡとのいずれを休憩場所とするかを、運転者に好適に選択させることができる。
【００５２】
図８は、ステップＳ２０３で直近ＳＡ／ＰＡと共に準直近ＳＡ／ＰＡの案内画像Ｉｍを表示する際のディスプレイ１１０の第２表示例を示す。この場合、制御部１７は、直近ＳＡ／ＰＡであるパーキングエリア「××ＰＡ」の簡易情報を示す吹き出し２３Ａを表示すると共に、パーキングエリア「××ＰＡ」よりも施設が充実しているサービスエリア「○○ＳＡ」の簡易情報を示す吹き出し２３Ｂを表示する。また、制御部１７は、サービスエリア「○○ＳＡ」が推奨ＳＡ／ＰＡであることから、サービスエリア「○○ＳＡ」に対する吹き出し２３Ｂに対して、当該吹き出し２３Ｂが推奨ＳＡ／ＰＡであることを示す強調画像３０を表示させている。
【００５３】
このように、図８に示す第２表示例では、制御部１７は、直近ＳＡ／ＰＡに対する吹き出し２３Ａと共に、直近ＳＡ／ＰＡよりも施設が充実している準直近ＳＡ／ＰＡに対する吹き出し２３Ｂを表示させ、かつ、吹き出し２３Ｂを強調表示する。これにより、直近ＳＡ／ＰＡよりも施設が充実している準直近ＳＡ／ＰＡの存在を、運転者に好適に視認させることができる。
【００５４】
以上説明したように、本実施例に係る端末装置１００は、出力部１１と、ＧＰＳ受信機１６と、制御部１７とを備える。制御部１７は、ＧＰＳ受信機１６から車両Ｖｅの現在位置に関する情報を取得する。制御部１７は、連続運転時間が休憩用閾値Ｔｔｈの標準時間である２時間を経過した場合に、運転者に対して休憩を促すための休憩情報を出力部１１に出力させる。そして、制御部１７は、車両Ｖｅと休憩施設との位置関係に基づいて、休憩用閾値Ｔｔｈを、標準時間の２時間から変化させる。このようにすることで、端末装置１００は、移動体と休憩施設との位置関係に基づいて、休憩情報を提供するタイミングを柔軟に変更し、運転者に休憩施設で好適に休憩させることができる。
【００５５】
［変形例］
以下、上述の実施例に好適な各変形例について説明する。なお、これらの各変形例は、任意に組み合わせて上述の各実施例に適用することが可能である。
【００５６】
（変形例１）
端末装置１００に代えて、ネットワークを介して接続したサーバ装置が制御部１７の処理の一部を実行してもよい。
【００５７】
図９は、変形例に係るシステムの構成例を示す。図９に示すように、端末装置１００は、ネットワーク１５０を介してサーバ装置２００と接続している。そして、端末装置１００は、サーバ装置２００から経路案内に必要な情報を受信することで経路案内等を行う。
【００５８】
図１０は、サーバ装置２００の概略構成を示す。図１０に示すように、サーバ装置２００は、通信部２０２と、記憶部２０３と、制御部２０４とを有する。通信部２０２、記憶部２０３、及び制御部２０４は、バスライン２０１を介して相互に接続されている。
【００５９】
通信部２０２は、制御部２０４の制御に基づき、ネットワーク１５０を介し、各種データの送信及び受信を行う。記憶部２０３は、例えば、ＨＤＤなどにより構成され、地図データなどの経路探索等に必要なデータを記憶する。制御部２０４は、ＣＰＵやＲＯＭ及びＲＡＭなどのメモリを有し、メモリに記憶されたプログラムを実行することで、サーバ装置２００の全般的な制御を行う。
【００６０】
この場合、制御部２０４は、端末装置１００から送信される現在位置情報及び目的地の情報等に基づき、車両Ｖｅが走行すべき案内ルートの探索処理を行い、探索した案内ルートの情報を端末装置１００へ送信する。また、制御部２０４は、端末装置１００から送信される現在位置情報等に基づき、図３及び図４の処理を行い、休憩案内及び案内画像Ｉｍの出力タイミング及び出力内容を決定し、休憩案内の音声出力や案内画像Ｉｍの表示を指示する信号を端末装置１００に送信する。なお、制御部２０４は、ディスプレイ１１０に表示すべき画面の表示情報を生成して端末装置１００に送信することで、図５〜図８に示される各表示画面をディスプレイ１１０に表示させてもよい。同様に、制御部２０４は、スピーカ１１１に出力させるべき音声データを生成して端末装置１００に送信することで、ステップＳ１０９及びステップＳ２０４の音声出力を実行させてもよい。
【００６１】
このように、サーバ装置２００が制御部１７の処理の一部を実行した場合であっても、端末装置１００は、休憩案内を適切に実行することができる。なお、サーバ装置２００の処理を、複数のサーバ装置からなるサーバシステムが実行してもよい。そして、本変形例では、サーバ装置２００は、本発明における「情報提供装置」として機能し、制御部２０４は、本発明における「取得部」、「提供部」、及びプログラムを実行するコンピュータとして機能する。
【００６２】
（変形例２）
端末装置１００は、図１に示すようなスマートフォンなどの携帯型端末に限らず、車両に設置される据置型のナビゲーション装置であってもよい。この場合、ナビゲーション装置の制御部は、ナビゲーション装置のディスプレイ及びスピーカに対し、制御部１７と同様の出力制御を行う。
【００６３】
（変形例３）
休憩案内及び案内画像Ｉｍの表示対象となる休憩施設は、ＳＡ／ＰＡに限定されない。これに代えて、端末装置１００は、道の駅やショッピングモールなどの複合施設、その他の車両Ｖｅが立寄り可能な休憩施設を対象に、案内画像Ｉｍを表示したり、休憩案内の音声出力を行ったりしてもよい。従って、この場合、端末装置１００は、図３のステップＳ１０１で高速道路を走行中であるか否かの判定結果によらず、ステップＳ１０２で立寄り可能な休憩施設の有無を判定するとよい。
【００６４】
（変形例４）
端末装置１００は、休憩案内をスピーカ１１１に出力させるのに代えて、又はこれに加えて、ディスプレイ１１０上に表示させてもよい。即ち、この場合、端末装置１００は、連続運転時間が休憩用閾値Ｔｔｈに達した場合に、休憩すべき旨を示した文字列をディスプレイ１１０に表示させてもよい。
【符号の説明】
【００６５】
１０  バス
１１  出力部
１２  入力部
１３  記憶部
１４  通信部
１５  カメラ
１６  ＧＰＳ受信機
１７  制御部
１００  端末装置
１１０  ディスプレイ
１１１  スピーカ
１２０  タッチパネル
１５０  ネットワーク
２００  サーバ装置
【図１】
2018059940.tif 000003
【図２】
2018059940.tif 000004
【図３】
2018059940.tif 000005
【図４】
2018059940.tif 000006
【図５】
2018059940.tif 000007
【図６】
2018059940.tif 000008
【図７】
2018059940.tif 000009
【図８】
2018059940.tif 000010
【図９】
2018059940.tif 000011
【図１０】
2018059940.tif 000012